(57)【特許請求の範囲】
【請求項１】
一方の端子が配設される雄型ハウジングと、該雄型ハウジングが嵌入されるフード部を有し他方の端子が配設される雌型ハウジングと、前記フード部内に揺動自在に立設され一端がフード部外へ突出したレバーとを備え、
レバー一端側のフード部に、該フード部の開放端面に開口部を有しレバーの一端を揺動自在に突出させるスリットが形成され、該スリットの互いに対向する両対向面間に位置するレバー部位の両壁面に、レバーの揺動をガイドする揺動ガイド部がそれぞれ設けられ、前記両対向面に、揺動ガイド部を雄型ハウジングのフード部内への嵌入方向及びフード部内からの脱出方向へ移動可能に保持する第１保持部がそれぞれ設けられ、フード部の底壁に、レバーの底部に設けられた揺動支点部を前記嵌入方向及び脱出方向と直交する直交方向へ移動可能に保持する第２保持部が形成され、雄型ハウジングに、レバーが挿入されるレバー用凹部が形成され、該レバー用凹部にガイドリブが配設され、レバーの頂部に、該ガイドリブと係合して雄型ハウジングを前記嵌入方向又は脱出方向へ押進させるカム溝が形成されているレバー式コネクタであって、
前記揺動ガイド部に係合部を設け、前記第１保持部に、係合部を前記嵌入方向及び脱出方向へ移動可能に保持すると共に係合部と係合してスリット幅の拡大を阻止する被係合部を設けたことを特徴とするレバー式コネクタ。
【請求項２】
請求項１記載のレバー式コネクタであって、
前記揺動ガイド部が、前記両壁面に突設されたガイド用ボスであり、前記係合部が、ガイド用ボスの外周面に設けられた係合突部であり、前記第１保持部が、ガイド用ボスを保持するガイド用保持溝であり、前記被係合部が、係合突部と係合する係合壁面を有し係合突部を保持する係合用保持溝であることを特徴とするレバー式コネクタ。
【請求項３】
請求項２記載のレバー式コネクタであって、
前記係合突部をガイド用ボスの外周面全周に亘って設けたことを特徴とするレバー式コネクタ。
【発明の詳細な説明】
【０００１】
【発明の属する技術分野】
本発明は、レバー操作によって雌雄一対のコネクタを嵌合させ、その嵌合を解除させるレバー式コネクタに関するものである。
【０００２】
【従来の技術】
図７は、従来品の一例を示す分解斜視図である。図８は、この従来品の雌コネクタを示す平面図である。このレバー式コネクタＡは、図外の雌型端子を収容する端子収容室Ｂ１が多数形成された雄型ハウジングＢと、この雄型ハウジングＢが嵌入されるフード部Ｃ１を有する雌型ハウジングＣと、フード部Ｃ１内に揺動自在に立設され一端がフード部Ｃ１外へ突出したレバーＤとを備えている。
【０００３】
雌型ハウジングＣには雄型端子Ｅが多数植設されており、各雄型端子Ｅはフード部Ｃ１内に起立している。雌型ハウジングＣのフード部Ｃ１には、レバーＤの一端をフード部Ｃ１外へ揺動自在に突出させるスリットＣ２が形成されている。このスリットＣ２は、フード部Ｃ１の開放端面Ｃ３に開口部を有している。レバーＤは、その揺動上死点位置では一端側頂部がスリットＣ２の開口部から突出するようになっている。
【０００４】
レバーＤの一端側底部には、スリットＣ２の互いに対向する両対向面Ｃ４，Ｃ４間に位置する部位の両壁面に、レバーＤの揺動をガイドするガイド用ボスＤ１がそれぞれ突設されている。スリットＣ２の両対向面Ｃ４，Ｃ４には、レバーＤのガイド用ボスＤ１を、フード部Ｃ１内への雄型ハウジングＢの嵌入方向Ｙ１及びフード部Ｃ１内からの雄型ハウジングＢの脱出方向Ｙ２へ移動可能に保持するガイド用保持溝Ｃ５がそれぞれ形成されている。
【０００５】
フード部Ｃ１の底壁には、レバーＤの他端底部の両壁面に突設され揺動支点となる支点用ボスＤ２を嵌入方向Ｙ１及び脱出方向Ｙ２と直交する直交方向Ｘへ移動可能に保持する支点用保持溝Ｃ６が形成されている。
【０００６】
雄型ハウジングＢは、その底部に、レバーＤが挿入されるレバー用凹部Ｂ２が形成されている。このレバー用凹部Ｂ２には、ガイドリブＢ３が配設されている。レバーＤは、その頂部に、ガイドリブＢ３と係合して雄型ハウジングＢを嵌入方向Ｙ１又は脱出方向Ｙ２へ押進させるカム溝Ｄ３が形成されている。
【０００７】
このレバー式コネクタＡでは、レバーＤを揺動上死点位置に位置させた状態で雄型ハウジングＢの底部を雌型ハウジングＣのフード部Ｃ１内に挿入し、レバーＤのカム溝Ｄ３に雄型ハウジングＢのガイドリブＢ３を導入してレバーＤの一端を押し下げることにより、レバーＤのカム溝Ｄ３の上面と雄型ハウジングＢのガイドリブＢ３とが係合して、雄型ハウジングＢが嵌入方向Ｙ１へ押進される。従って、てこの原理により雌雄一対のコネクタを小さい力で嵌合させることができる。
【０００８】
また、雌雄一対のコネクタが嵌合している状態でレバーＤの一端を持ち上げることにより、レバーＤのカム溝Ｄ３の下面と雄型ハウジングＢのガイドリブＢ３とが係合し、雄型ハウジングＢが脱出方向Ｙ２へ押進されて、てこの原理により雌雄一対のコネクタの嵌合を小さい力で解除させることもできる。
【０００９】
【発明が解決しようとする課題】
しかし、レバー式コネクタＡでは、雄型ハウジングＢのフード部Ｃ１内への嵌入時やフード部Ｃ１内からの脱出時に、雄型ハウジングＢがよれてフード部Ｃ１の内壁面に当接し、雄型ハウジングＢでフード部Ｃ１が内側からこじられて、フード部Ｃ１のスリットＣ２の幅が拡大する場合がある。
【００１０】
そして、スリットＣ２幅が拡大した場合には、レバーＤがよれて、雌雄一対のコネクタの嵌合が歪になったり、嵌合解除に異常な力を要したり、あるいは、レバーＤのガイド用ボスＤ１がガイド用保持溝Ｃ５から外れたりすることがある。
【００１１】
このため、スリットＣ２を跨ぐ補強部材を雌型ハウジングＣに取り付けて、スリットＣ２幅の拡大を防止することが考えられる。しかし、例えばフード部Ｃ１の開放端面Ｃ３に、スリットＣ２を跨ぐ補強部材を取り付けると、この補強部材によりスリットＣ２の開口部が塞がれて、レバーＤの揺動上死点位置が低くなり、この揺動上死点位置を所定の高さにするにはフード部Ｃ１の高さを高くせざるを得なくなり、レバー式コネクタＡの小型化に逆行することとなる。
【００１２】
そこで、本発明では、レバーの揺動上死点位置を低くすることなく、雄型ハウジングのフード部のスリット幅の拡大を防止することができ、その結果、雌雄一対のコネクタの嵌合や嵌合解除の安定性を向上させることができるレバー式コネクタを提供することを課題としている。
【００１３】
【課題を解決するための手段】
請求項１の発明は、一方の端子が配設される雄型ハウジングと、該雄型ハウジングが嵌入されるフード部を有し他方の端子が配設される雌型ハウジングと、前記フード部内に揺動自在に立設され一端がフード部外へ突出したレバーとを備え、レバー一端側のフード部に、該フード部の開放端面に開口部を有しレバーの一端を揺動自在に突出させるスリットが形成され、該スリットの互いに対向する両対向面間に位置するレバー部位の両壁面に、レバーの揺動をガイドする揺動ガイド部がそれぞれ設けられ、前記両対向面に、揺動ガイド部を雄型ハウジングのフード部内への嵌入方向及びフード部内からの脱出方向へ移動可能に保持する第１保持部がそれぞれ設けられ、フード部の底壁に、レバーの底部に設けられた揺動支点部を前記嵌入方向及び脱出方向と直交する直交方向へ移動可能に保持する第２保持部が形成され、雄型ハウジングに、レバーが挿入されるレバー用凹部が形成され、該レバー用凹部にガイドリブが配設され、レバーの頂部に、該ガイドリブと係合して雄型ハウジングを前記嵌入方向又は脱出方向へ押進させるカム溝が形成されているレバー式コネクタであって、前記揺動ガイド部に係合部を設け、前記第１保持部に、係合部を前記嵌入方向及び脱出方向へ移動可能に保持すると共に係合部と係合してスリット幅の拡大を阻止する被係合部を設けたことを特徴としている。
【００１４】
この発明では、雄型ハウジングのフード部内への嵌入時やフード部内からの脱出時には、レバーの揺動ガイド部は、雌型ハウジングの第１保持部に保持されて、雄型ハウジングのフード部内への嵌入方向やフード部内からの脱出方向へ移動する。揺動ガイド部に設けた係合部は、第１保持部に設けた被係合部に保持されて前記嵌入方向や脱出方向へ移動すると共に、被係合部と係合してスリット幅の拡大を阻止する。
【００１５】
従って、レバーの揺動上死点位置を低くすることなく、フード部のスリット幅の拡大を防止することができ、その結果、スリット内を移動するレバーのよれや脱落を抑えて、雌雄一対のコネクタの嵌合や嵌合解除の安定性を向上させることができる。
【００１６】
請求項２の発明は、請求項１記載のレバー式コネクタであって、前記揺動ガイド部が、前記両壁面部位に突設されたガイド用ボスであり、前記係合部が、ガイド用ボスの外周面に設けられた係合突部であり、前記第１保持部が、ガイド用ボスを保持するガイド用保持溝であり、前記被係合部が、係合突部と係合する係合壁面を有し係合突部を保持する係合用保持溝であることを特徴とするレバー式コネクタ。
【００１７】
この発明では、雄型ハウジングのフード部内への嵌入時やフード部内からの脱出時には、レバーのガイド用ボスの外周面に設けられた係合突部は、雌型ハウジングの係合用保持溝に保持されて雄型ハウジングのフード部内への嵌入方向やフード部内からの脱出方向へ移動すると共に、係合用保持溝の係合壁面と係合してスリット幅の拡大を阻止する。従って、レバーの揺動上死点位置を低くすることなく、フード部のスリット幅の拡大を確実に防止することができる。
【００１８】
請求項３の発明は、請求項２記載のレバー式コネクタであって、前記係合突部をガイド用ボスの外周面全周に亘って設けたことを特徴としている。
【００１９】
この発明では、係合突部をガイド用ボスの外周面全周に亘って設けたので、係合突部と係合用保持溝の係合壁面との係合面積を増大させて、スリット幅の拡大を防止する拡大防止力の強化を図ることができる。
【００２０】
【発明の実施の形態】
本発明の実施の形態の一例を図１〜図５を使用して以下に説明する。図１は、本発明の一実施形態を示す分解斜視図である。図２は、図１に示すものの雌コネクタの平面図である。図３は、図２に示すものの右側面図である。図４は、図２に示すもののＶ−Ｖ線断面図である。図５は、図２に示すものの雌型ハウジングのＷ−Ｗ線断面図である。ただし、図１，図５では、レバーは揺動上死点位置に位置し、図２〜図４では、レバーは揺動下死点位置に位置している。
【００２１】
図１に示すように、このレバー式コネクタ１は、雄型ハウジング２と、この雄型ハウジング２が嵌入されるフード部３１を有する雌型ハウジング３と、フード部３１内に揺動自在に立設され一端がフード部３１外へ突出したレバー４とを備えている。
【００２２】
雄型ハウジング２には、図外の雌型端子（一方の端子）を収容する端子収容室２１が、左右２列に配列され各列同数づつ所定のピッチで形成されている。各端子収容室２１は、雄型ハウジング２の頂面２２から底面２３まで雄型ハウジング２を貫通し、頂面２２側の開口部から、リード線の先端に取り付けられた雌型端子が装着され、底面２３側の開口部から、雌型ハウジング３のフード部３１内に起立する雄型端子５（他方の端子）が挿入されるようになっている。
【００２３】
雄型ハウジング２の底面２３には、レバー４が挿入されるレバー用凹部２４が形成されている。このレバー用凹部２４は、端子収容室２１配列の中間に位置し、その配列に沿って雄型ハウジング２の底部を貫通している。レバー用凹部２４には、所定位置にガイドリブ２５が配設されている。このガイドリブ２５は、レバー用凹部２４の互いに対向する両対向面を連結して雄型ハウジング２を補強している。
【００２４】
図１〜図５に示すように、レバー４は、雌型ハウジング３のフード部３１に設けられたスリット３２からフード部３１外へ揺動自在に突出する一端側頂部に、レバー４を揺動させる操作部４１が設けられている。
【００２５】
レバー４の一端側底部には、スリット３２の互いに対向する両対向面３２ａ，３２ａ間に位置する部位の両壁面に、レバー４の揺動をガイドするガイド用ボスである揺動ガイド部４２がそれぞれ設けられている。各揺動ガイド部４２の先端部外周面４２ａには、係合突部である係合部４３が外周面４２ａ全周に亘って設けられている。レバー４の他端底部には、その両壁面に、レバー４の揺動支点となる支点用ボスである揺動支点部４４がそれぞれ設けられている。
【００２６】
レバー４の頂部には、雄型ハウジング２のガイドリブ２５と係合して雄型ハウジング２を、フード部３１内への雄型ハウジング２の嵌入方向Ｙ１又はフード部３１内からの雄型ハウジング２の脱出方向Ｙ２へ押進させるカム溝４５が形成されている。レバー４の操作部４１下方の一壁面には、その下端に、雌型ハウジング３の外壁面下部に設けられたロック片３３と係脱自在に係合してレバー４を揺動下死点位置で固定する弾性片４６が配設されている。
【００２７】
雌型ハウジング３には、雄型端子５が多数植設されている。各雄型端子５は、その一端が雌型ハウジング３の底部から雌型ハウジング３の左右両側へそれぞれ所定のピッチで突出している。雄型端子５の他端部は、雌型ハウジング３のフード部３１内で左右２列に配列され各列同数づつ所定のピッチで起立しており、フード部３１内へ雄型ハウジング２を嵌入させることによって、雄型ハウジング２の端子収容室２１に配設される雌型端子に挿入接続されるようになっている。
【００２８】
レバー４は、フード部３１内の雄型端子５の配列に沿って、その配列の中間位置に揺動自在に配設されている。レバー４の操作部４１をフード部３１から揺動自在に突出させる雌型ハウジング３のスリット３２は、フード部３１の開放端面３１ａから嵌入方向Ｙ１へ延び、この開放端面３１ａに開口部を有している。レバー４は、その揺動上死点位置ではスリット３２の開口部から頂部が突出するようになっている。
【００２９】
スリット３２の互いに対向する両対向面３２ａ，３２ａには、レバー４の揺動ガイド部４２を嵌入方向Ｙ１及び脱出方向Ｙ２へ移動可能に保持するガイド用保持溝である第１保持部３４がそれぞれ形成されている。各第１保持部３４の奥部両側には、第１保持部３４と連通しレバー４の係合部４３を嵌入方向Ｙ１及び脱出方向Ｙ２へ移動可能に保持すると共に、係合部４３と係合する係合壁面３５ａを有し該係合壁面３５ａで係合部４３と係合してスリット３２幅の拡大を阻止する係合用保持溝である被係合部３５が形成されている。。
【００３０】
フード部３１の底壁３１ｂには、嵌入方向Ｙ１及び脱出方向Ｙ２と直交する直交方向Ｘへスリット３２の下端部から延び、レバー４の底部が揺動自在に挿入された揺動用凹部３６が形成されている。この揺動用凹部３６の奥部両側には、揺動用凹部と連通しレバー４の揺動支点部４４を直交方向Ｘへ移動可能に保持する支点用保持溝である第２保持部３７が形成されている。この第２保持部３７及び揺動用凹部３６は、スリット３２，第１保持部３４及び被係合部３５と互いに連通している。
【００３１】
フード部３１のレバー４他端側の内壁面には、雄型ハウジング２のフード部３１内への嵌入時及びフード部３１内からの脱出時にレバー４と協働して、雄型ハウジング２を嵌入方向Ｙ１あるいは脱出方向Ｙ２へ案内するガイド壁３８が突設されている。雌型ハウジング３の底面には、雌型ハウジング３を電気回路基板に取り付けるための位置決め突部３９が２箇所に設けられている。
【００３２】
以上説明したレバー式コネクタ１では、レバー４を揺動上死点位置に位置させた状態で雄型ハウジング２の底部を雌型ハウジング３のフード部３１内に挿入し、レバー４のカム溝４５に雄型ハウジング２のガイドリブ２５を導入してレバー４の操作部４１を押し下げることにより、レバー４のカム溝４５の上面と雄型ハウジング２のガイドリブ２５とが係合して、雄型ハウジング２が嵌入方向Ｙ１へ押進される。従って、てこの原理により雌雄一対のコネクタを小さい力で嵌合させることができる。
【００３３】
また、雌雄一対のコネクタが嵌合している状態でレバー４の操作部４１を持ち上げることにより、レバー４のカム溝４５の下面と雄型ハウジング２のガイドリブ２５とが係合し、雄型ハウジング２が脱出方向Ｙ２へ押進されて、てこの原理により雌雄一対のコネクタの嵌合を小さい力で解除させることもできる。
【００３４】
しかも、レバー式コネクタ１では、雄型ハウジング２のフード部３１内への嵌入時やフード部３１内からの脱出時には、雄型ハウジング２の揺動ガイド部４２に設けた係合部４３は、雌型ハウジング３の第１保持部３４に設けた被係合部３５に保持されて嵌入方向Ｙ１や脱出方向Ｙ２へ移動すると共に、被係合部３５の係合壁面３５ａと係合してスリット３２幅の拡大を確実に阻止する。
【００３５】
従って、レバー４の揺動上死点位置を低くすることなく、フード部３１のスリット３２幅の拡大を確実に防止することができ、その結果、スリット３２内を移動するレバー４のよれや脱落を抑えて、雌雄一対のコネクタの嵌合や嵌合解除の安定性を向上させることができる。
【００３６】
また、レバー式コネクタ１では、係合部４３を揺動ガイド部４２の外周面４２ａ全周に亘って設けたので、係合部４３と被係合部３５の係合壁面３５ａとの係合面積を増大させて、スリット３２幅の拡大を防止する拡大防止力の強化を図ることもできる。
【００３７】
図６は、実施形態の他の一例の要部を示す平面図である。この図に示すように、揺動ガイド部４２は、例えば、スリット３２の互いに対向する両対向面３２ａ，３２ａ間に位置するレバー４部位の両壁面にそれぞれ設けられたガイド溝であり、係合部４３は、各ガイド溝の左右両側に設けられガイド溝と連通する係合用溝であっても良い。
【００３８】
そして、第１保持部３４は、スリット３２の両対向面３２ａ，３２ａに突設されレバー４の揺動ガイド部４２と協働してレバー４を図１図示の嵌入方向Ｙ１及び脱出方向Ｙ２へ移動可能に保持する保持用リブであっても良い。被係合部３５は、保持用リブの両側面に突設されレバー４の係合部４３と協働してレバー４を嵌入方向Ｙ１及び脱出方向Ｙ２へ移動可能に保持すると共に、係合部４３の係合壁面４３ａと係合してスリット３２幅の拡大を阻止する係合用リブであっても良い。
【００３９】
【発明の効果】
請求項１の発明では、雄型ハウジングのフード部内への嵌入時やフード部内からの脱出時には、レバーの揺動ガイド部は、雌型ハウジングの第１保持部に保持されて、雄型ハウジングのフード部内への嵌入方向やフード部内からの脱出方向へ移動する。揺動ガイド部に設けた係合部は、第１保持部に設けた被係合部に保持されて前記嵌入方向や脱出方向へ移動すると共に、被係合部と係合してスリット幅の拡大を阻止する。従って、レバーの揺動上死点位置を低くすることなく、フード部のスリット幅の拡大を防止することができ、その結果、スリット内を移動するレバーのよれや脱落を抑えて、雌雄一対のコネクタの嵌合や嵌合解除の安定性を向上させることができる。
【００４０】
請求項２の発明では、請求項１の発明の効果に加えて、雄型ハウジングのフード部内への嵌入時やフード部内からの脱出時には、レバーのガイド用ボスの外周面に設けられた係合突部は、雌型ハウジングの係合用保持溝に保持されて前記嵌入方向や脱出方向へ移動すると共に、係合用保持溝の係合壁面と係合してスリット幅の拡大を阻止する。従って、レバーの揺動上死点位置を低くすることなく、フード部のスリット幅の拡大を確実に防止することができる。
【００４１】
請求項３の発明では、請求項２の発明の効果に加えて、係合突部をガイド用ボスの外周面全周に亘って設けたので、係合突部と係合用保持溝の係合壁面との係合面積を増大させて、スリット幅の拡大を防止する拡大防止力の強化を図ることができる。
【図面の簡単な説明】
【図１】実施形態の一例を示す分解斜視図である。
【図２】図１に示すものの雌コネクタを示す平面図である。
【図３】図２に示すものの右側面図である。
【図４】図２に示すもののＶ−Ｖ線断面図である。
【図５】図２に示すものの雌型ハウジングのＷ−Ｗ線断面図である。
【図６】実施形態の他の一例の要部を示す平面図である。
【図７】従来品の一例を示す分解斜視図である。
【図８】図７に示すものの雌コネクタを示す平面図である。
【符号の説明】
１  レバー式コネクタ
２  雄型ハウジング
３  雌型ハウジング
４  レバー
５  雄型端子（他方の端子）
２４  レバー用凹部
２５  ガイドリブ
３１  フード部
３１ａ  開放端面
３１ｂ  底壁
３２  スリット
３２ａ  スリットの対向面
３４  第１保持部
３５  被係合部
３５ａ  係合壁面
３７  第２保持部
４２  揺動ガイド部
４２ａ  外周面
４３  係合部
４４  揺動支点部
４５  カム溝
Ｘ  直交方向
Ｙ１  嵌入方向
Ｙ２  脱出方向
【図１】
0003561167.tif 000002
【図２】
0003561167.tif 000003
【図３】
0003561167.tif 000004
【図４】
0003561167.tif 000005
【図５】
0003561167.tif 000006
【図６】
0003561167.tif 000007
【図７】
0003561167.tif 000008
【図８】
0003561167.tif 000009